(57)【特許請求の範囲】
【請求項１】
壁面から水平に突出する棚板を該壁面に取り付けるための取付金具であって、該取付金具は、棚板後端面に設けられた横長の嵌入孔に全てが収納されるように嵌められ、かつ固定手段で固定される支持部材と、該壁面に固定手段で固定され、前記支持部材と嵌合する壁面取付部材とからなり、前記壁面取付部材は板状部と該板状部の左右中央部から垂直に立設された係止部材とからなり、前記支持部材は、その左右方向中央部に両側壁部と該両側壁部間を上部で連結した上面部とでコの字状に突出した凸部と該凸部の左右両側壁部の下端部から各々外側に延出され、前記横長の嵌入孔の底壁に固定される２つの支持片とからなり、前記凸部の上面部の左右方向の中央部には、径の異なる大小２つの円孔が上下に一部重なるように連接された略だるま形状の係止孔が形成され、前記係止部材は円筒状で前記板状部と接する下部から上部へと順に台座部、係止部、頭部の３部材に分かれ、該係止部はその厚さが前記凸部の上面部の厚さより厚く、該頭部は、その径が該係止部より大きく台座部より小さくなっており、かつ前記凸部上面部の大きい円孔に挿通可能で小さい円孔に非挿通となっており、前記係止部材が前記支持部材の凸部に嵌合、固定されるときには該頭部が前記大きい円孔に挿通し、更に連接された前記小さい円孔へと前記係止部がスライドし、かつ前記凸部の左右両側壁部には該頭部のガタつきを防止するために取り付けられた弾性部材が該頭部の側面を左右から押圧しながら付勢を伴って係止し、前記係止部材が前記支持部材の凸部に嵌合、固定される前の前記弾性部材の間隔は、該頭部の直径より小さいことを特徴とする棚板の壁面取付用金具。
【請求項２】
前記支持部材の凸部の上面部が取付壁面側へ倒れる傾斜面となしていることを特徴とする請求項１に記載の棚板の壁面取付用金具。
【請求項３】
前記支持部材に取り付けられた前記弾性部材は、線材または板材で形成されていることを特徴とする請求項１又は請求項２に記載の棚板の壁面取付用金具。
【発明の詳細な説明】
【技術分野】
【０００１】
本発明は、壁面に棚板を取り付けるための金具に関するものである。
【背景技術】
【０００２】
従来、実公平１−４１３４９号公報に開示されているように、壁面に固定される板状本体と、該板状本体に垂直に立設された脚部の先端に脚部の径より大径の頭部を有する係止部材とからなる取付部材、および前記板状本体に対向する端面に該板状本体が嵌合する凹部を備えた支持部材と該支持部材の該凹部内に取り付けられ、前記係止部材の頭部が挿通可能な穴と該穴に連通して形成され、前記頭部の径より小さい幅の長穴を備えた係合部材とからなる支持部材は知られている。
【先行技術文献】
【特許文献】
【０００３】
【特許文献１】実公平１−４１３４９号公報
【発明の概要】
【発明が解決しようとする課題】
【０００４】
前記支持部材によると、棚板を固定するとき、前記板状本体の長孔の直径と係止部材の
頭部の直径との間に余裕（あそび）を設けている場合、がたつきが起こりやすくなり、抜
け防止に孔の直径を小さくすると、棚板を取り外す際金属製板材であることから、取り付
け孔の変形が起こり難く取り外しが困難となる。更に複数の取り付け孔を設けた場合、金
具の高さ寸法を大きくさせることが必要となり、それに伴って棚板の厚みが大きくなり美
観的にも不利となる問題点があった。本願に係る発明は、上記問題点を解消するためにな
されたもので、棚板を壁面に簡単かつ確実に取り付けることを目的とする。
【課題を解決するための手段】
【０００５】
本願請求項１記載の発明の壁面取付用金具は、棚板後端面に設けられた横長の嵌入孔に全てが収納されるように嵌められ、かつ固定手段で固定される支持部材と、壁面に固定手段で固定され、前記支持部材と嵌合する壁面取付部材とからなり、前記壁面取付部材は板状部と該板状部の左右中央部から垂直に立設された係止部材とからなり、前記支持部材は、その左右方向中央部に両側壁部と該両側壁部間を上部で連結した上面部とでコの字状に突出した凸部と該凸部の左右両側壁部の下端部から各々外側に延出され、前記横長の嵌入孔の底壁に固定される２つの支持片とからなり、前記凸部の上面部の左右方向の中央部には、径の異なる大小２つの円孔が上下に一部重なるように連接された略だるま形状の係止孔が形成され、前記係止部材は円筒状で前記板状部と接する下部から上部へと順に台座部、係止部、頭部の３部材に分かれ、該係止部はその厚さが前記凸部の上面部の厚さより厚く、該頭部は、その径が該係止部より大きく台座部より小さくなっており、かつ前記凸部上面部の大きい円孔に挿通可能で小さい円孔に非挿通となっており、前記係止部材が前記支持部材の凸部に嵌合、固定されるときには該頭部が前記大きい円孔に挿通し、更に連接された前記小さい円孔へと前記係止部がスライドし、前記凸部の両側壁部には弾性部材が該頭部のガタつきを防止するために取り付けられた弾性部材が、該頭部の側面を左右から押圧しながら付勢を伴って係止し、前記係止部材が前記支持部材の凸部に嵌合、固定される前の前記弾性部材の間隔は、該頭部の直径より小さいことを特徴とするものであり、本願請求項２記載の発明の壁面取付用金具は、前記板状部に垂直に立設された係合部材の先端に前記係止部材の前記支持部材の凸部の上面部が取付壁面側へ倒れる傾斜面となしていることを特徴とするものであり、本願請求項３記載の発明の壁面取付用金具は、前記支持部材に取り付けられた前記弾性部材が、線材または板材で形成されていることを特徴とするものである。
【発明の効果】
【０００６】
本願請求項１記載の発明では、前記弾性部材を取り付けることによって壁面に棚板を固
定する際のがたつきを十分に抑えることができ、本願請求項２記載の発明では、前記支持
部材の凸部の上面部が取付壁面側へ倒れる傾斜面となすことによって、棚板の取り付けが
容易になり、本願請求項３および請求項４記載の発明では、前記頭部の側面を左右から押
圧する弾性部材の形状を変更し、押圧する力を調整することによって棚板の取り付け、取
り外しを容易に行うことができる。
【図面の簡単な説明】
【０００７】
【図１】壁面取付部材と支持部材を組み付ける前の状態を示す壁面取付用金具の斜視図
【図２】壁面取付部材と支持部材を組み付けた後の状態を示す壁面取付用金具の斜視図
【図３】壁面取付部材と支持部材が嵌合固定される前の状態を示す壁面取付用金具の正面図
【図４】壁面取付部材と支持部材が嵌合固定された後の状態を示す壁面取付用金具の正面図
【図５】組み付けた状態を示す壁面取付用金具の平面図
【図６】図５に示す組み付けた状態を示す壁面取付用金具のＡ−Ａ断面図
【発明を実施するための形態】
【０００８】
以下、図面を参照して本願発明の実施の形態について説明する。
図１において、壁面取付用金具Ａは壁面取付部材１と支持部材２からなり、前記壁面取付用金具Ａは、図５に示すように棚板後端面１４に設けられた横長の嵌入孔６に全てが収納されるように嵌められ、かつ木ネジ１５（固定手段）で固定される支持部材２と、該壁面１３に固定手段（図示せず）で固定され、前記支持部材と嵌合する壁面取付部材１とからなる。前記壁面取付部材１は、板状部３と該板状部左右中央部から垂直に立設された係止部材４とからなる。また前記支持部材２は、その左右方向中央部に両側壁部１８と該両側壁部間を上部で連結した上面部１８とでコの字状に突出した凸部１０を有し、２つの支持片９は該凸部１０の左右両側壁部１８の下端部から各々外側に延出しており、前記横長の嵌入孔６の底壁１６に固定されるようになっている。前記凸部１０の上面部１７の左右方向の中央部には、径の異なる大小２つの円孔が上下に一部重なるように連接された略だるま形状の係止孔１１が形成されている。前記壁面取付部材１から立設された前記係止部材４は円筒状であり、前記板状部３と接する下部から上部へと順に台座部７、係止部８、頭部５の３部材に分かれている。前記係止部８はその厚さが前記凸部１０の上面部１７の厚さより厚い。前記頭部５は、その径が該係止部８より大きく台座部７より小さくなっており、かつ前記凸部上面部１７に形成された係止孔１１のうちの大きい円孔に挿通可能で小さい円孔に非挿通となっている。前記係止部材４が前記支持部材の凸部１０に嵌合、固定されるときには、まず図３に示すように前記頭部５が前記大きい円孔に挿通し仮固定される。更に図２または図４に示すように該大きい円孔から連接された前記小さい円孔へと前記係止部８がスライド移動し、前記凸部１０の両側壁部１８にはＲ字の略右側外形線を左右対称につなげた形状の線材で形成されたバネ（弾性部材）１２が該頭部５のガタつきを防止するために取り付けられている。このとき前記バネ１２は、前記頭部５の側面を左右から押圧しながら付勢を伴って係止される。
【０００９】
図６に示すように、前記板状部３から垂直に立設された係止部材４と支持部材２との嵌
合の状態を示し、前記凸部１０の上面部１７が壁面１３側へ倒れる傾斜面となすことによ
って、手の上下方向の動きの軌跡と重なりやすくなり、取り付けが容易となる。
【００１０】
前記支持部材２の凸部１０の左右両側壁部１８に取り付けられた前記バネ１２について
は、前記係止部材４が前記支持部材２の凸部１０に嵌合、固定される前の前記バネ１２の
間隔Ｗ１は、前記頭部５の直径より小さくなっており、嵌合、固定された後の前記バネ１
２の間隔Ｗ２は、前記頭部５の直径より若干小さいものの前記Ｗ１よりも間隔が大きく、
前記頭部５を押圧している。なお図示は省くが、前記支持部材２に取り付けられた前記バ
ネ１２は、線材以外の板材で形成されてもよい。
【符号の説明】
【００１１】
Ａ    壁面取付用金具
１    壁面取付部材
２    支持部材
３    板状部
４    係止部材
５    頭部
６    嵌入孔
７    台座部
８    係止部
９    支持片
１０  凸部
１１  係止孔
１２  バネ（弾性部材）
１３  壁面
１４  棚板後端面
１５  木ネジ
１６  底壁
１７  上面部
１８  側壁部
【図１】
0006470936.tif 000002
【図２】
0006470936.tif 000003
【図３】
0006470936.tif 000004
【図４】
0006470936.tif 000005
【図５】
0006470936.tif 000006
【図６】
0006470936.tif 000007